(57)【要約】【課題】従来の携帯電話では通話の開始時にスピーカやマイクの位置を意識する必要があった。【解決手段】筐体と、前記筐体に搭載され、通話に用いる第１、第２のスピーカと、前記筐体に搭載された加速度センサと、を備え、前記加速度センサが検出する移動量と移動方向を基に、通話の出力先を第１のスピーカ又は第２のスピーカを選択する。【選択図】図１
2013005207.tif 000002
【特許請求の範囲】
【請求項１】
筐体と、
前記筐体に搭載され、通話に用いる第１、第２のスピーカと、
前記筐体に搭載された加速度センサと、を備え、
前記加速度センサが検出する移動量と移動方向を基に、通話の出力先を第１のスピーカ又は第２のスピーカを選択する携帯電話。
【請求項２】
請求項１に記載の携帯電話であって、
前記加速度センサが、前記第１のスピーカから前記第２のスピーカへ向かう方向の移動方向を検出すると、前記通話の出力先として前記第２のスピーカを選択し、
前記加速度センサが、前記第２のスピーカから前記第１のスピーカへ向かう方向の移動方向を検出すると、前記通話の出力先として前記第１のスピーカを選択する携帯電話。
【請求項３】
請求項１又は請求項２に記載の携帯電話であって、
前記加速度センサが検出する移動量が、所定の移動量より大きい場合、前記通話の出力先の選択を行い、前記所定の移動量より小さい場合、前記通話の出力先の選択を行わない携帯電話。
【請求項４】
筐体と、
前記筐体に搭載され、通話に用いる第１、第２のスピーカと、
前記筐体に搭載された近接センサと、を備え、
前記近接センサが検出する頭部の接近情報を基に、通話の出力先を第１のスピーカ又は第２のスピーカを選択する携帯電話。
【請求項５】
筐体と、
前記筐体に搭載され、通話に用いる第１、第２のスピーカと、
前記筐体に搭載された感圧センサと、を備え、
前記感圧センサが検出する圧力情報を基に、通話の出力先を第１のスピーカ又は第２のスピーカを選択する携帯電話。
【請求項６】
請求項１から請求項５のいずれか１項に記載の携帯電話であって、
前記筐体に搭載され、通話に利用可能であり、前記第２のスピーカより前記第１のスピーカに近い場所に配置された第１のマイクと、
前記筐体に搭載され、通話に利用可能であり、前記第１のスピーカより前記第２のスピーカに近い場所に配置された第２のマイクと、を備え、
前記通話の出力先として前記第１のスピーカが選択される場合、前記第２のマイクを通話に用い、
前記通話の出力先として前記第２のスピーカが選択される場合、前記第１のマイクを通話に用いる携帯電話。
【発明の詳細な説明】
【技術分野】
【０００１】
本発明は、複数のスピーカ等を搭載するスマートフォン等の携帯電話において、複数のスピーカに対する音声の出力先選択方法に関するものである。
【背景技術】
【０００２】
従来、この種のスピーカの出力先選択方法としては、例えば、特許文献１に記載されているようなものがあった。図１０は前記特許文献に記載された実施形態の使用時の向きに対するステレオ再生用スピーカの出力形態を説明するための図である。携帯電話機（携帯端末）１には傾きセンサとステレオ再生用スピーカ２０，２１が設けられている。
【０００３】
傾きセンサの検出出力から携帯電話機１の向きの状態（即ち、縦向きの状態にあるのか、横向きの状態にあるのか、さらには、横向きの状態の場合、図１０（ｂ）に示す左向きの状態にあるのか、図１０（ｃ）に示す右向きの状態にあるのか）を判定する。
【０００４】
判定結果に基づいて右チャネルと左チャネルの音声出力先をスピーカ２０，２１から選択することでステレオ音声が正常に出力されるようにする。
【先行技術文献】
【特許文献】
【０００５】
【特許文献１】特開２００３−７８６０１号公報（第１１頁、第５図）
【発明の概要】
【発明が解決しようとする課題】
【０００６】
上下の概念が希薄化した形状の携帯電話においては、複数のスピーカを搭載し、使用者の耳の位置関係により適切な位置のスピーカを選択して音を出力することで、端末の上下を意識せずに通話可能とし使用者の利便性が向上することが可能である。しかしながら、前記従来の構成を適用した場合、傾きセンサを用いているため使用者が寝ているなどの地面に対して垂直以外の状態では正しいスピーカの出力先を選択することが出来ない。
【課題を解決するための手段】
【０００７】
本発明の携帯電話は、筐体と、前記筐体に搭載され、通話に用いる第１、第２のスピーカと、前記筐体に搭載された加速度センサと、を備え、前記加速度センサが検出する移動量と移動方向を基に、通話の出力先を第１のスピーカ又は第２のスピーカを選択する。
【０００８】
この構成により、重力以外の情報、具体的には通話開始時の携帯電話を耳に近づける動作の移動方向と移動量の情報を基にすることで、使用者がどのような体勢であっても適切なスピーカの出力先を選択することが出来る。
【０００９】
即ち、上下の概念が希薄化した形状の携帯電話において、複数のスピーカを搭載し通話開始時に加速度センサにより端末移動方向を耳の方向として検出し耳方向側のスピーカを選択することにより、耳に近い適切なスピーカを選択することで、端末の上下を意識せずに通話可能とし使用者の利便性が向上する。
【００１０】
また、本発明の携帯電話は、前記加速度センサが、前記第１のスピーカから前記第２のスピーカへ向かう方向の移動方向を検出すると、前記通話の出力先として前記第２のスピーカを選択し、前記加速度センサが、前記第２のスピーカから前記第１のスピーカへ向かう方向の移動方向を検出すると、前記通話の出力先として前記第１のスピーカを選択する。
【００１１】
この構成により移動方向のスピーカが使用者の耳に近いと判断することで、使用者がどのような体勢であっても適切なスピーカの出力先を選択し、かつ、誤選択が発生した場合でも使用者が携帯電話を移動する操作により適切なスピーカを再選択することが出来る。
【００１２】
また、本発明の携帯電話は、前記加速度センサが検出する移動量が、所定の移動量より大きい場合、前記通話の出力先の選択を行い、前記所定の移動量より小さい場合、前記通話の出力先の選択を行わない。
【００１３】
この構成により所定の移動量より小さい移動を無視することで、通話中の使用者の意図しない動きによりスピーカが誤って切り替わることを防止することが出来る。
【００１４】
また、本発明の携帯電話は、筐体と、前記筐体に搭載され、通話に用いる第１、第２のスピーカと、前記筐体に搭載された近接センサと、を備え、前記近接センサが検出する頭部の接近情報を基に、通話の出力先を第１のスピーカ又は第２のスピーカを選択する。
【００１５】
この構成により重力以外の情報、具体的には通話開始時の携帯電話を耳に近づける動作により頭部が接近する情報を基することで、使用者がどのような体勢であっても適切なスピーカの出力先を選択することが出来る。
【００１６】
また、本発明の携帯電話は、筐体と、前記筐体に搭載され、通話に用いる第１、第２のスピーカと、前記筐体に搭載された感圧センサと、を備え、前記感圧センサが検出する圧力情報を基に、通話の出力先を第１のスピーカ又は第２のスピーカを選択する。
【００１７】
この構成により重力以外の情報、具体的には通話開始時の携帯電話を耳に接触させる動作の圧力情報を基にすることで、使用者がどのような体勢であっても適切なスピーカの出力先を選択することが出来る。
【００１８】
また、本発明の携帯電話は、前記筐体に搭載され、通話に利用可能であり、前記第２のスピーカより前記第１のスピーカに近い場所に配置された第１のマイクと、前記筐体に搭載され、通話に利用可能であり、前記第１のスピーカより前記第２のスピーカに近い場所に配置された第２のマイクと、を備え、前記通話の出力先として前記第１のスピーカが選択される場合、前記第２のマイクを通話に用い、前記通話の出力先として前記第２のスピーカが選択される場合、前記第１のマイクを通話に用いる。
【００１９】
この構成により出力先として選択されたスピーカの逆方向にあるマイクを通話に用いることで、使用者がどのような体勢であっても適切なマイクを通話に用いることが出来る。
【発明の効果】
【００２０】
複数のスピーカを搭載し通話開始時にセンサにより適切なスピーカを選択することで、端末の上下を意識せずに通話可能とし使用者の利便性が向上する。
【図面の簡単な説明】
【００２１】
【図１】本発明の第１の実施形態における携帯電話の概観図
【図２】本発明の第１の実施形態における携帯電話のブロック図
【図３】本発明の第１の実施形態におけるフローチャート
【図４】本発明の第２の実施形態における携帯電話の概観図
【図５】本発明の第２の実施形態における携帯電話のブロック図
【図６】本発明の第２の実施形態におけるフローチャート
【図７】本発明の第３の実施形態における携帯電話の概観図
【図８】本発明の第３の実施形態における携帯電話のブロック図
【図９】本発明の第３の実施形態におけるフローチャート
【図１０】従来技術の実施形態の使用時の向きに対する表示画面の表示形態やステレオ再生用スピーカの出力形態を説明するための図
【発明を実施するための形態】
【００２２】
以下、本発明の実施形態について図面を用いて説明する。図１は本発明による携帯電話の第１の実施形態を示す外観図、図４は第２の実施形態を示す外観図、図７は第３の実施形態を示す外観図である。
【００２３】
各実施形態の外観図である図１，図４，図７における１は携帯電話、２は表示操作部、３，４はスピーカ、５，６はマイク，７は加速度センサ、８，９は近接センサ、１０，１１は感圧センサである。
【００２４】
第１の実施形態では、携帯電話１の前面に表示操作部２が設けられている。表示操作部２は、ＬＣＤにタッチパネルを組み合わせた物であるが、それに限らない。ここでは、ＬＣＤに表示されたソフトキーアイコンを使用者が指で触れたことをタッチパネルで検出することで携帯電話１の操作を行うことができる。
【００２５】
携帯電話１は表示操作部２のソフトキーによる操作であることから、加速度センサ７で携帯電話１の傾きを検出して適切し、それに応じてＬＣＤの表示を例えば１８０度回転し表示することで、使用者は携帯電話１の上下を意識することなく使用することができる。回転角は１８０度に限定せず端末の傾きに応じてもよい。
【００２６】
携帯電話１には、上下どちらでも通話が可能となるように、スピーカ３とその対極にスピーカ４を配置している。また、同様にマイク５の対極にマイク６を配置している。ここでもスピーカとマイクは各２個であるが、それ以上の数でもよい。
【００２７】
携帯電話１の着信時、スピーカ３，４もしくは別途設けるスピーカ(図示せず)やバイブレータ(図示せず)，ＬＥＤ(図示せず)により使用者に着信を通知すると共に、表示操作部２に応答するためのソフトアイコンを表示して、使用者の操作を待ち、使用者の操作により通話を開始する。応答の操作はソフトアイコンに限らず、他の手段でもよい。
【００２８】
通話の開始時の初期状態として、通話音声の出力先のとしてスピーカ３を選択し、通話音声の入力元は対極に配置されたマイク６を選択することができるが、初期状態はこれ以外の状態でもよい。
【００２９】
使用者は通話音声を聞き取るために携帯電話１を耳に移動させる。この時の携帯電話１の移動量を加速度センサ７で検出し、予め設定した移動量を超えた場合に、移動した方向を耳の方向と判断し、耳の方向に配置されたスピーカを通話音声の出力先として選択し、選択したスピーカの対極に位置するマイクを通話音声の入力元として選択する。これにより、使用者が寝ている状態などの直立していない場合でも、最適なスピーカとマイクを選択することができる。
【００３０】
図２は図１に示した第１の実施形態の携帯電話のハードウェア構成を示すブック図である。１０１はアンテナ、１０２は無線通信部、１０３は電源部、１０４はＣＰＵ、１０５は表示操作部、１０６は加速度センサ、１０７はオーディオ部、１０８は出力切替部、１０９は入力切替部、１１０，１１１はスピーカ、１１２，１１３はマイクである。
【００３１】
図２において、電源部１０３はバッテリー(図示せず)の電力を各ブロックに適した電圧に変換して供給する。無線通信部１０２は携帯電話の通信機能を有するブロックでアンテナ１０１を通じて基地局と通信を行う。表示操作部１０５は使用者への通知を行う装置であるとともに、タッチパネルの機能を有し、使用者の操作を受け付ける。
【００３２】
加速度センサ１０６は端末の傾きを検出するとともに、前述した通話開始時の端末の移動量を検出する。オーディオ部１０７は音声ＣＯＤＥＣを内蔵し通話音声の符号化と復号を行う。出力切替部１０８は通話音声の出力先であるスピーカ１１０，１１１の出力先の選択するブロックである。入力切替部１０９は通話音声の入力元であるマイク１１２，１１３の入力元を選択するブロックである。
【００３３】
これらの各ブロックはＣＰＵ１０４によって制御される。制御の具体例を図３のフローチャートで示す。図３の２０１は判定処理の開始で、着信通知に対して使用者の操作で応答し通話が開始された状態である。図３の２０２では初期状態として、通話音声の出力先として図１のスピーカ３を選択し、通話音声の入力元は対極に配置された図１のマイク６を選択する。図３の２０３では加速度センサから移動方向と移動量を読み出す。
【００３４】
図３の２０４では移動量の積算を行い結果が予め設定した移動量を超えたかどうか判定し、超えていない場合には２０３に戻り、超えている場合には２０５に遷移する。図３の２０５では予め設定した移動量を超えた移動方向を算出し、移動した方向を耳の方向と判断する。図３の２０６では２０５の判断結果に応じて、通話音声の出力先として図１のスピーカ３，４のうち耳の方向側のスピーカを選択する。
【００３５】
図３の２０７では２０５の判断結果に応じて、通話音声の入力元として図１のマイク５，６のうち耳の方向と逆側のマイクを選択する。図３の２０８で判定処理を完了する。このとき、図３の２０８で判断処理を完了せずに、２０３から２０７を繰り返し処理することで、通話音声の出力先と入力元を選択した後でも、使用者が携帯電話を再度耳に近づける動きを行うことで、再選択を行うことが可能である。
【００３６】
また、図３の２０４で判定する際に、所定の移動量よりも小さい移動を無視することで、通話中の使用者の意図しない動きによりスピーカおよびマイクが誤って切り替わることを防止している。これらの構成により、使用者がどのような体勢であっても適切なスピーカおよびマイクを選択することを可能としている。
【００３７】
第２の実施形態について、第１の実施形態との差分で説明する。第１の実施形態との差分は、スピーカ３，４の直近にそれぞれ配置した近接センサ８，９である。第２の実施形態では、耳の方向を検出する手段として近接センサ８，９を用いる。通話開始時に使用者が通話音声を聞き取るために携帯電話１を耳に移動させる。この時の耳もしくは頭部が携帯電話１に近づいたことを近接センサ８，９で検出し、先に近づいたことを検出したセンサの方向を、耳の方向と判断し、耳の方向に配置されたスピーカを通話音声の出力先として選択し、選択したスピーカの対極に位置するマイクを通話音声の入力元として選択する。これにより、使用者が寝ている状態などの直立していない場合でも、最適なスピーカとマイクを選択することができる。
【００３８】
図５は図４に示した第２の実施形態の携帯電話のハードウェア構成を示すブロック図である。第１の実施形態との差分は、図４の近接センサ１１４，１１５である。この近接センサで耳もしくは頭部が近づいたことを検出する。
【００３９】
制御の具体例を図６のフローチャートで示す。第１の実施形態との差分は、図６の２１３，２１４，２１５である。図６の２１３では近接センサの検出情報を読み出す。図６の２１４では近接センサから読み出した検出情報から、耳もしくは頭部が近づいたどうかを判断し、近づいていない場合には２１３に戻り、近づいている場合には２１５に遷移する。図６の２１５では近接センサが耳もしくは頭部が近づいたことを先に検出したセンサの方向を耳の方向と判断する。これらの構成により、使用者がどのような体勢であっても適切なスピーカおよびマイクを選択することを可能としている。
【００４０】
第３の実施形態について、第１の実施形態との差分で説明する。第１の実施形態との差分は、スピーカ３，４の直近にそれぞれ配置した感圧センサ１０，１１である。
【００４１】
第３の実施形態では、耳の方向を検出する手段として、感圧センサ１０，１１を用いる。通話開始時に使用者が通話音声を聞き取るために携帯電話１を耳に移動させる。この時の耳と携帯電話１との接触を感圧センサ１０，１１で検出し、先に接触を検出したセンサの方向を、耳の方向と判断し、耳の方向に配置されたスピーカを通話音声の出力先として選択し、選択したスピーカの対極に位置するマイクを通話音声の入力元として選択する。これにより、使用者が寝ている状態などの直立していない場合でも、最適なスピーカとマイクを選択することができる。
【００４２】
図８は、図７に示した第３の実施形態の携帯電話のハードウェア構成を示すブロック図である。第１の実施形態との差分は、図７の感圧センサ１１６，１１７である。この感圧センサで耳もしくは頭部が接触したことを検出する。
【００４３】
制御の具体例を図９のフローチャートで示す。第１の実施形態との差分は、図９の２２３，２２４，２２５である。図９の２２３では感圧センサの検出情報を読み出す。図９の２２４では感圧センサから読み出した検出情報から、耳もしくは頭部が接触したかどうかを判断し、接触していない場合には２２３に戻り、接触した場合には２２５に遷移する。図９の２２５では感圧センサが耳もしくは頭部と接触したことを先に検出したセンサの方向を耳の方向と判断する。
【００４４】
これらの構成により、使用者がどのような体勢であっても適切なスピーカおよびマイクを選択することを可能としている。このとき、図７の表示操作部２のタッチパネルを感圧センサの代わりとしてもよい。
【００４５】
第１，第２，第３の実施形態で説明した構成により、通話時に使用者がどのような体勢であっても適切なスピーカおよびマイクを選択することが可能としている。
【産業上の利用可能性】
【００４６】
本発明の構成により、携帯電話による通話時に端末の上下や自身の体の体制を意識せずに通話が可能となり、携帯電話使用時の利便性の向上として有用である。
【符号の説明】
【００４７】
１    携帯電話（携帯端末）
２    表示操作部
３    スピーカ
４    スピーカ
５    マイク
６    マイク
７    加速度センサ
８    近接センサ
９    近接センサ
１０    感圧センサ
１１    感圧センサ
１０１    アンテナ
１０２    無線通信部
１０３    電源部
１０４    ＣＰＵ
１０５    表示操作部
１０６    加速度センサ
１０７    オーディオ部
１０８    出力切替部
１０９    入力切替部
１１０    スピーカ
１１１    スピーカ
１１２    マイク
１１３    マイク
１１４    近接センサ
１１５    近接センサ
１１６    感圧センサ
１１７    感圧センサ
【図１】
2013005207.tif 000003
【図２】
2013005207.tif 000004
【図３】
2013005207.tif 000005
【図４】
2013005207.tif 000006
【図５】
2013005207.tif 000007
【図６】
2013005207.tif 000008
【図７】
2013005207.tif 000009
【図８】
2013005207.tif 000010
【図９】
2013005207.tif 000011
【図１０】
2013005207.tif 000012